(57)【特許請求の範囲】
【請求項１】
一端に凹部を有する切削工具担体と、該切削工具担体に設けられた第１及び第２の把持顎であって、工具インサートを受容するためにこれら把持顎間に把持座部を画定する把持顎と、前記凹部の内端にその延長部分として形成されたスロットであって、第１及び第２の縁部と、該第１の縁部に概ね半円状の拡大部を備えた受容領域とを有するスロットと、拡開ボディを有する拡開キーであって、該拡開ボディは回転可能にかつ互いに離間した第１及び第２の角度位置間を移動可能に前記受容領域内に受容され、該拡開ボディは二等辺三角形状の多角形状断面輪郭を有し、該二等辺三角形は同一の曲率半径でもって丸められた角部を備え、該曲率半径は前記半円状拡大部の曲率半径よりも小さく、第１の角度位置において前記拡開ボディが前記スロットを拡大せずかつ前記把持座部を拡張せず、第２の角度位置において前記拡開ボディが前記スロットを拡大しかつ前記把持座部を拡張する拡開キーと、を具備した機械工具インサートの保持装置。
【請求項２】
前記半円状拡大部の曲率半径が少なくとも前記多角形断面輪郭の外接円の直径の半分である請求項１に記載の保持装置。
【請求項３】
前記半円状拡大部と反対側にある前記スロットの前記第２の縁部に小くぼみを形成した請求項１又は２に記載の保持装置。
【請求項４】
前記スロットが前記切削工具担体の側縁に隣接して配置されており、該スロットが該側縁に対しほぼ平行に延びる請求項１から３までのいずれか一項に記載の保持装置。
【請求項５】
前記半円状拡大部が前記切削工具担体の隣接する前記側縁から該側縁に対し垂直に延びると共に、前記把持顎のうちの一方に断面が減少された領域を形成する請求項４に記載の保持装置。
【請求項６】
前記拡開キーが、Ｌ字形状を形成する長いハンドルアーム及び短いアームを有し、該短いアームが該ハンドルアームに曲部により連結されると共に、拡開ボディを形成する請求項１から５までのいずれか一項に記載の保持装置。
【請求項７】
前記多角形断面輪郭が、前記丸められた角部同士の間に平坦な側部を備えている請求項１から６までのいずれか一項に記載の保持装置。
【発明の詳細な説明】
【０００１】
本発明は把持用けた状ボディ切削工具担体を有し、切削工具担体の端部に形成された凹部を有し、切削工具担体上の把持顎により画定された把持座部が形成されてインサートを受容するようにし、凹部の延長部分として凹部の内端から延びるスロットを有し、スロットは拡開キーの一部として設けられた拡開ボディを受容する受容領域を備えており、拡開ボディは非円形断面輪郭を有すると共に、スロットを拡開すべく回転可能であり、それにより把持座部の遮断されない開口が拡大されるようにした機械加工工具インサート、特に穿孔用又は切削用インサートの保持装置に関する。
【０００２】
この形式の保持装置はドイツ国特許第３９０６８２２Ｃ３号公報から公知である。公知の保持装置において、拡開ボディの断面輪郭が楕円である拡開キーが提供される。切削工具担体のスロット内に拡開ボディのために設けられた受容部はスロットの縁部上で互いに対面する二つの凹部からなる。これら凹部は拡開ボディの楕円状断面輪郭の頂点による二つの小さな曲線状円に対応して延びている。公知の保持装置の安全性及び確実性の機能に関して頂点による曲線状円の正確な一致は重要であるが、このために拡開キーと切削工具担体との両方について公知の保持装置はコストがかかるという欠点を有する。これは主に、正確な一致を得るために製造誤差を小さく維持しなければならないからである。
【０００３】
本発明の目的は特に簡単な方法で製造でき、従って製造コストがかなり低い、上述の形式の保持装置を開示することにある。
上述の形式の保持装置に対し、この目的は挿入されるべき拡開ボディのための受容領域として機能するスロットがその二つの側部のうちの一方上に、概ね半円状の拡大部を有し、二等辺三角形の形の多角形輪郭が拡開キーの拡開ボディの断面輪郭として機能し、多角形輪郭の角部は丸みがあると共にそれらの曲率半径が同一であり、曲率半径がスロットの拡大部の半径よりも小さいという本発明により達成される。
【０００４】
拡開ボディの受容部を形成するスロットの半円状の拡大部は製造技術の点から見て非常に簡単に製造できる。また、拡開ボディの多角形輪郭の丸みのある角部の曲率半径に対する拡大部の半径は製造誤差を小さく維持する必要がない。
多角形断面輪郭の二つの丸みのある角部が半円状拡大部内に整列されると共に、第３の丸みのある角部がその頂点においてスロットの対面する縁上に支持される角度位置まで、拡開ボディを６０°だけ回転させると拡開される。工具インサートを受容する把持座部が開放されるこの角度位置において、拡開ボディはスロットの受容部内に自動的な保持整列位置に位置し、従ってインサートの交換のために把持座部を開放したときに操作者が拡開ボディを強く握りしめる必要がなくなる。
【０００５】
半円状拡大部と反対側にあるスロットの縁が小くぼみを有するように本実施態様の拡開ボディの位置を単に調節するだけで、特に確実な自動保持が得られる。
次に、添付図面に示される一実施態様について本発明を詳細に説明する。
図１及び図２において、拡開キー１は長手方向に延びるハンドル部３と、湾曲して延びる湾曲作用部５とを有し、この湾曲作用部５はその一端に拡開ボディ７を有する。拡開部の断面輪郭は図２、特に図５及び６に明瞭に示されるように、丸みのある角部１１を備えた二等辺三角形の形状の多角形断面輪郭に対応している。これら角部１１の曲率半径は同一になっている。
【０００６】
図３に詳細に示されるように、工具インサートの保持装置は把持用けた状ボディ１５を形成する切削工具担体１３を有し、けた状ボディ１５の前端領域１７における厚さは保持装置に受容されるべき小孔開け用インサート１９に適合するよう小さくされている。
図４から６に最も明瞭に示されるように、前端領域１７において、関連する工具インサートのための把持座部により、前方に開口する凹部２１が形成される。この凹部２１はその遮断されない開口内において、底部把持顎２３と頂部把持顎２５とにより画定される。概ね直線状にかつ前端領域１７の隣接する側縁２９に対し平行に延びるスロット２７は凹部２１の拡大内端の延長部分である。スロット２７の前端付近において、前端領域１７の側縁２９に隣接する縁部３１上に、このスロットは半円状の拡大部３３を有し、この拡大部３３はスロット２７内に、挿入されるべき拡開キー１の拡開ボディ７のための受容領域を形成する。反対側の縁部３５上において、スロット２７は拡大部３３と整列されかつ拡大部３３に対向配置された小くぼみ３７を有する（特に図３参照）。
【０００７】
前端領域１７の隣接する側縁２９に対し垂直に延びる拡大部３３は隣接する把持顎２５上において断面を減少せしめ、それにより把持顎２５に対し或る容量の弾性的な膨張又は伸長が得られるようにし、把持顎２３，２５により形成される把持座部が開放できるようにしている。これが図６に誇張して明瞭に示される。この開放作用は拡開ボディ７を図５に示される位置から適当な方向に６０°だけ回転させることにより得られる。図５に示されるように、スロット２７の半円状拡大部３３の半径が多角形断面輪郭９の最大直径の少なくとも半分に一致するときには、多角形断面輪郭９の平坦な一側部３９がスロット２７の縁部３５と係合しかつ角部１１のうちの一つが拡大部３３内に配置されるような角度位置において拡開ボディ７を挿入することができる。拡開ボディ７を上述したように６０°だけ図６に示される位置まで回転させることにより、把持座部が開放される。図６の位置では、二つの角部１１が拡大部３３内に位置し、一つの角部１１がスロット２７の縁部３５上に支持される。これ以上説明しなくても図６から明らかなように、この角度位置において拡開ボディ７には回転トルクが作用せず、従ってこの角度位置が自動的に保持される。さらに、スロット２７の縁部３５の小くぼみ２７によって追加の弾性角度位置を利用できるようになり、それにより、拡開ボディを回転させたときに、把持座部の開放位置に対応する角度位置が得られたことが操作者に知らされる。
【図面の簡単な説明】
【図１】  本発明による保持装置の拡開キーの斜視図である。
【図２】  図１よりも拡大して示す、図１の拡開キーの拡開ボディの前面図である。
【図３】  本発明による保持装置の実施態様の前方領域の切頭斜視図である。
【図４】  工具インサートを省略した図３に示す保持装置の部分斜視図である。
【図５】  把持座部が閉鎖されている、把持座部に隣接する保持装置の領域の拡大線図である。
【図６】  把持座部が開放されている、把持座部に隣接する保持装置の領域の拡大線図である。
【図１】
0003759697.tif 000002
【図２】
0003759697.tif 000003
【図３】
0003759697.tif 000004
【図４】
0003759697.tif 000005
【図５】
0003759697.tif 000006
【図６】
0003759697.tif 000007